(57)【要約】      （修正有）【課題】携帯及び操作の便利性、外耳道を傷から守る安全性、感染を防止する衛生効果を実現する耳垢排出機能を備える耳かきを提供する。【解決手段】耳垢排出機能を備える耳かきは、主に、前部に延伸する嵌合管２２を備えた袋型支持部２を含み、周囲には複数の短い突出柱３１を繞設した軟質耳垢掻出体３を係合し、軟質耳垢掻出体全体で延伸する嵌合管の管体の外周を包み込んで嵌合し、構成される。そのうち、嵌合管と耳垢掻出体の端部はオープン型とし、しかもぴたりと合う内端孔と外端孔であり、これにより外耳道内に挿入する嵌合管は、回転して動く突出柱によって耳垢を剥がし、耳壁から剥離した耳垢は、袋型支持部をつまみ圧して外方向に空気を排出した後さらに放す時、袋内に吸引された空気によって外耳道から取り出され、清潔な耳掃除を便利に行なえることを特徴とする。【選択図】図１
0003184847.tif 000002
【実用新案登録請求の範囲】
【請求項１】
袋型支持部と軟質耳垢掻出体と含む耳垢排出機能を備える耳かきにおいて、
前記袋型支持部は、その後部を中空とし、自動回復型の弾性袋体を備え、該袋体の外周をつまんで圧し、放す過程において、内側に蓄えられた空気は、前方方向に排出、吸引され、該支持部の前部は、前方に延び、末端にオープン型の嵌合口を備える嵌合管であり、
前記軟質耳垢掻出体は、末端端口が若干先細りの管状嵌合体であり、該耳垢掻出体の周囲には異なる方向に配置された複数の短い突出柱を繞設し、並びに、軟質耳垢掻出体全体で、延伸する嵌合管の管体外周を包み込んで嵌合し、嵌合管の末端嵌合口と耳垢掻出体の端口をオープン形態でぴたりと合わせると、袋型支持部の袋体内の空気を進入、排出させる耳かきが構成され、外耳道内に嵌合管を挿入することで、回転し動かれる突出柱が耳壁上の耳垢を剥がし、袋型支持部をつまみ圧し放すと、袋内の空気の吸引によって耳垢は外耳道から取り出されることを特徴とする耳垢排出機能を備える耳かき。
【請求項２】
前記嵌合管の後部箇所に短い折畳管部を増設することにより、嵌合管の前部に折り曲げ機能を提供し、耳垢を掻きだす動作を便利に行なえるような角度調整ができることを特徴とする請求項１に記載の耳垢排出機能を備える耳かき。
【請求項３】
前記耳垢掻出体の最先端に配置する短い突出柱は、傾斜して前方に伸びる形態に設置し、袋体内の空気が進入及び排出される端口の周囲に対して、耳垢を剥離することを特徴とする請求項１に記載の耳垢排出機能を備える耳かき。
【請求項４】
前記軟質耳垢掻出体は、シリカゲル、ゴム、又は、シリコンゴムの材質を成形し作られたものであることを特徴とする請求項１に記載の耳垢排出機能を備える耳かき。
【考案の詳細な説明】
【技術分野】
【０００１】
本考案の耳垢排出機能を備える耳かきは、主に、吸引力を備えた単一ロッド式耳かきを提供する。それは、前部を回転して動かす突出柱によって掻きだし、耳壁から剥離した耳垢を同時に吸引排出し、迅速に外耳道内から取り出せる簡便な構造をもつ耳かきの技術分野に属する。
【背景技術】
【０００２】
伝統的な耳垢排出機能を備える耳かきは多種あるが、そのうちよく見られる単一ロッド式の耳かきの好ましい設計には、端部に軟性材質の短い突出片を備えた掻きだし式の耳かきがある。該掻きだし式の耳かきは主に、その前部を耳の穴内に挿入し耳垢を掻きだす操作を行なうが、耳の穴内の組織を傷つけ易いという憂慮がある。しかも、細かくなった耳垢を掻きだす際、一般の使用者はピンセットや掻きだし用ブラシを外耳道内に挿入し気をつけて耳垢を外側に掻きだすが、ひっかき傷をつくる危険性もある。
【０００３】
専門の耳鼻科の医療機器には、掃除機の如き機能を備えた小型の吸引口を外耳道内に挿入することで細かくなった耳垢を外に排出するものもある。その掃除動作及び効果は好ましく安全であるが、その吸引過程において外耳道内で起きる高デシベルの雑音がそれに対応する外耳道内に不快感をもたらす。特に、高価及び場所を取る専門機器は、一般家庭や個人による配備及び自己操作は不可能である。
【０００４】
家で耳の掃除をする者の中には、単一ロッド式の耳かき及び幼児が使用する鼻水吸引器を組み合わせ使用する代替方法による者もいるが、二つを準備し使用するのは非常に不便である。
【考案の概要】
【考案が解決しようとする課題】
【０００５】
本考案は耳垢排出機能を備える耳かきを提供することにより、前述したような耳の穴内の組織を傷つけ易い、高価で場所を取る、二つの機器を使用する不便性の欠点を解決する。
【課題を解決するための手段】
【０００６】
本考案の主な目的は、耳垢排出機能を備える耳かきの提供にある。該耳かきは、前部に延伸する嵌合管の袋型支持部は、嵌合管上に軟質の耳垢掻出体を嵌合することにより、携帯及び操作に便利な簡便式耳かきを構成し、個人が家庭内及び外出時に便利に使用できることを特徴とする。
【０００７】
本考案のもう一つの目的は、耳垢排出機能を備える耳かきの提供にある。該耳かきは、外耳道内に挿入し、周囲には複数の短い突出柱を繞設した耳垢掻出体を回転し動かして耳壁上の耳垢を剥離し、並びに、袋型支持部をつまんで圧し、放すと、細かくなった耳垢は袋内に吸引され、それと同時に外耳道から取り出され、これにより、簡便で清潔な耳掃除が行なえ、積極的な保護も実現し、外耳道を傷から守る安全効果を発揮することを特徴とする。
【０００８】
本考案の更にもう一つの目的は、耳垢排出機能を備える耳かきの提供にある。該耳かきは、袋型支持部の前部に延長する嵌合管の外周に嵌合する軟質の耳垢掻出体は、定期的に或いは毎回引き抜いて交換し、感染を防止する衛生使用効果を実現することを特徴とする。
【考案の効果】
【０００９】
本考案の耳垢排出機能を備える耳かきは、携帯及び操作の便利性、外耳道を傷から守る安全性、感染を防止する衛生効果を実現する。
【図面の簡単な説明】
【００１０】
【図１】本考案の立体分解図である。
【図２】係本考案の立体組立図である。
【図３】本考案の断面構造図と、その一部拡大断面図である。
【図４】本考案の実施説明図１である。
【図４Ａ】図４の補助説明図である。
【図５】本考案の実施説明図２である。
【図５Ａ】図５の補助説明図である。
【考案を実施するための形態】
【００１１】
まず、図１、図２、図３に示すとおり、本考案の耳垢排出機能を備える耳かきは主に、袋型支持部2と軟質耳垢掻出体3とを含む。
【００１２】
袋型支持部2は、その後部を中空とし、自動回復型の弾性袋体21を備える。該袋体21の外周をつまんで圧し、放す過程において、内側に蓄えられた空気Aは、前方方向に排出、吸引される。該支持部2の前部は、前方に延び、しかも末端にオープン型の嵌合口221を備える嵌合管22である。
【００１３】
軟質耳垢掻出体3は、軟性材質(シリカゲル又はゴム、シリコンゴム等)を成形し作られたもので、末端端口32が若干先細りの管状嵌合体である。該耳垢掻出体3の周囲には異なる方向に配置された複数の短い突出柱31を繞設する。並びに、軟質耳垢掻出体3全体で、延伸する嵌合管22の管体外周を包み込んで嵌合し、嵌合管22の末端嵌合口221と耳垢掻出体3の端口32をオープン形態でぴたりと合わせ、支持部2の袋体21内の空気Aを進入、排出させる耳かきを構成する。
【００１４】
続いて、図４及び図４Ａに示すとおり、使用者は指で支持部2をつまみ圧し、袋体21を押してへこませ、その内側の空気Aを排出させる。この時、前部嵌合管22を外耳道S内に挿入し軽く回転させ、前、後に支持部2を動かすと、嵌合管22外周の耳垢掻出体3上の突出柱31は、接触及び摩擦効果によって、耳壁S1上の耳垢Pを掻きだし剥離し、細かくなった耳垢を外耳道S内に落とす。
【００１５】
続いて、図５及び図５Ａに示すとおり、使用者は、支持部2をつまみ圧していた指を放すと、袋体21は元の形状に戻り、嵌合管22の前端嵌合口221箇所から周囲の空気Aを吸引する。この時、細かくなって近くに脱落した耳垢Pは、袋体21内に吸引されて集められる。
【００１６】
使用者が耳かき全体を外耳道Sから引き抜いた後、さらにつまみ圧する動作と放す動作を繰り返すと、袋体21内に吸引された耳垢Pを全部排出することができる。
【００１７】
袋体21をつまんで圧し、放し、外耳道S内に挿入して動かす動作を繰り返すことで、更に細かくなり異なる箇所に分布する耳垢Pを徹底的に除去できる。
【００１８】
前述の如く各図に示した嵌合管22には、その後部箇所に短い折畳管部222を増設してもよい。これにより、使用者の習慣または要望に応じて、嵌合管22の前部を若干折り曲げて、掻きだす動作を便利に行なえるような角度調整が可能となる。
【００１９】
前述の如く各図に示した耳垢掻出体3は、最も先端に配置する短い突出柱311は、好ましくは傾斜して前方に伸びる設置方式とし、その作用は、気体が進入及び排出する端口32の周囲に対して、耳垢Pを剥離する好ましい効果を提供することにある。
【００２０】
前述を総合すると、便利で衛生的、徹底的な耳垢除去を確実に提供する本考案耳かきの使用効果は、実用性を向上させる実用新案の成立要件に符合することが顕著である。
【符号の説明】
【００２１】
2‥‥支持部
21‥‥袋体
22‥‥合管
221‥‥嵌合口
222‥‥折畳管部
3‥耳垢掻出体
31‥‥突出柱
311‥‥出柱
32‥‥端口
S‥‥外耳道
S1‥‥耳壁
P‥‥耳垢
A‥‥空気
【図１】
0003184847.tif 000003
【図２】
0003184847.tif 000004
【図３】
0003184847.tif 000005
【図４】
0003184847.tif 000006
【図４Ａ】
0003184847.tif 000007
【図５】
0003184847.tif 000008
【図５Ａ】
0003184847.tif 000009